(57)【要約】【課題】簡単な操作で２つ以上の機能を実現可能な表示装置を提供する。【解決手段】表示装置は、表示装置本体１００と、情報を表示する表示部１１０と、表示装置本体１００の底面から突出するように設けられた第１のボタン１３０と、表示装置本体１００の上面に設けられた第２のボタン１４０とを備える。表示装置本体１００の上面における第２のボタン１４０に隣接する領域を押圧することにより、表示装置本体１００が回動し、第１のボタン１３０が表示装置本体１００に押し込まれて第１の機能が実現される。また、第２のボタン１４０を所定の荷重で押圧することにより、表示装置本体１００が回動し、第１のボタン１３０が表示装置本体１００に押し込まれて第１の機能とは異なる第２の機能が実現される。【選択図】図３
2008304769.tif 000002
【特許請求の範囲】
【請求項１】
互いに対向する上面と底面とを有する本体と、
前記本体の上面に設けられ、情報を表示する表示部と、
前記本体の底面側に設けられ、前記本体を回動可能に支持する支持台と、
前記本体の底面から前記支持台に向けて突出するように設けられた第１のボタンと、
前記本体の上面に設けられた第２のボタンとを備え、
前記本体の上面における前記第２のボタンに隣接する領域を押圧することにより、前記本体が回動し、前記第１のボタンが前記支持台により前記本体に押し込まれて第１の機能が実現され、
前記第２のボタンを所定の荷重で押圧することにより、前記本体が回動し、前記第１のボタンが前記支持台により前記本体に押し込まれて前記第１の機能とは異なる第２の機能が実現される、表示装置。
【請求項２】
前記第２のボタンは、前記本体の上面から突出するように設けられている、請求項１に記載の表示装置。
【請求項３】
前記第２のボタンの動作荷重は、前記第１のボタンの動作荷重よりも小さい、請求項１または請求項２に記載の表示装置。
【請求項４】
前記表示装置の重心は、前記支持台が前記本体を支持する支点に対して前記第１のボタンの反対側に位置する、請求項１から請求項３のいずれかに記載の表示装置。
【請求項５】
前記表示部による表示を行なうための電力を供給する電源をさらに備え、
前記電源の重心は、前記支持台が前記本体を支持する支点に対して前記第１のボタンの反対側に位置する、請求項１から請求項４のいずれかに記載の表示装置。
【請求項６】
二輪車のハンドルバー、フレームまたはステムに固定される、請求項１から請求項５のいずれかに記載の表示装置。
【発明の詳細な説明】
【技術分野】
【０００１】
本発明は、表示装置に関し、特に、本体の上面側と底面側とにボタンを有する表示装置に関する。
【背景技術】
【０００２】
各種の情報を表示可能な表示装置が従来から知られている。
たとえば、特開２００５−３５００６４号公報（特許文献１）においては、フレームに装着可能なブラケットと、表示部と、制御部とを有する自転車用表示装置が開示されている。ここで、制御部は、バックライトの色相、彩度および明度の色の三要素の少なくとも１つを受信した情報に応じて変更する。
【０００３】
他方、複数のボタンを同時に押圧するか単独で別々に押圧するかに応じて複数の機能を実現可能な構成が、たとえば、特開２００５−２６６９２０号公報（特許文献２）および実開平５−８６３７号公報（特許文献３）に記載されている。
【０００４】
特許文献２には、互いに隣接する主キートップと補助キートップとを備えたキー入力装置が記載されている。ここでは、主キートップもしくは補助キートップの単独押下または主キートップと補助キートップとの同時押下によって、設定された入力機能に従って情報を入力できるとされている。
【０００５】
また、特許文献３には、３分割された夫々のキー釦を相互に隣り合うように配設し、３個のキー釦全体としては特定の数値入力用手段となり、分割された夫々のキー釦は特定の数値に係る異なった数値入力手段となるようにした構成が記載されている。
【特許文献１】特開２００５−３５００６４号公報
【特許文献２】特開２００５−２６６９２０号公報
【特許文献３】実開平５−８６３７号公報
【発明の開示】
【発明が解決しようとする課題】
【０００６】
特許文献１に示されるような表示装置において、たとえば、表示切換えや表示状態のリセットなど、複数の機能を簡単なボタン操作により行ないたい場合がある。
【０００７】
特許文献２，３では、複数のボタンを同時に押圧するか単独で別々に押圧するかに応じて複数の機能を実現可能な装置が示されているが、複数のボタンが互いに隣接するように設けられているため、１本の指で簡単に複数の機能を使い分けられない場合がある。
【０００８】
本発明は、上記のような問題に鑑みてなされたものであり、本発明の目的は、１本の指による簡単な操作で２つ以上の機能を実現可能な表示装置を提供することにある。
【課題を解決するための手段】
【０００９】
本発明に係る表示装置は、互いに対向する上面と底面とを有する本体と、本体の上面に設けられ、情報を表示する表示部と、本体の底面側に設けられ、本体を回動可能に支持する支持台と、本体の底面から支持台に向けて突出するように設けられた第１のボタンと、本体の上面に設けられた第２のボタンとを備え、本体の上面における第２のボタンに隣接する領域を押圧することにより、本体が回動し、第１のボタンが支持台により本体に押し込まれて第１の機能が実現され、第２のボタンを所定の荷重で押圧することにより、本体が回動し、第１のボタンが支持台により本体に押し込まれて第１の機能とは異なる第２の機能が実現される。
【００１０】
上記構成によれば、補助ボタンである第２のボタンを押圧することによって、同時に主ボタンである第１のボタンを本体に押し込むことができるので、本体における第２のボタンに隣接する領域を上方から押圧するか、または、第２のボタンを上方から押圧するかにより、第１と第２の機能を使い分けることができる。したがって、第１と第２の機能を使い分けるために２つのボタンを操作する必要がなく、１本の指による簡単な操作で２つ以上の機能を使い分けることができる。
【００１１】
上記表示装置において、好ましくは、第２のボタンは、本体の上面から突出するように設けられている。
【００１２】
これにより、第２のボタンの位置を目視により確認することなく感触によって判別することが可能になる。
【００１３】
上記表示装置において、好ましくは、第２のボタンの動作荷重は、第１のボタンの動作荷重よりも小さい。
【００１４】
これにより、第２のボタンの押圧を意識することなく、指による押圧位置を変えるだけで第１と第２の機能を使い分けることができる。
【００１５】
また、上記表示装置において、他の局面では、表示装置の重心は、支持台が本体を支持する支点に対して第１のボタンの反対側に位置する。
【００１６】
また、上記表示装置は、さらに他の局面では、表示部による表示を行なうための電力を供給する電源をさらに備え、電源の重心は、支持台が本体を支持する支点に対して第１のボタンの反対側に位置する。
【００１７】
これにより、いずれの局面においても、上下振動により第１のボタンが本体に押し込まれることを抑制し、結果として、表示装置の誤作動を抑制することができる。
【００１８】
上記表示装置は、１つの局面では、二輪車のハンドルバー、フレームまたはステムに固定される。
【００１９】
二輪車の運転者がグローブを装着している場合、複雑な操作が行ないにくくなる。これに対し、上記表示装置によれば、１本の指による簡単な操作により、第１と第２の機能を使い分けることができるので、操作性の点で特に高い効果を得ることができる。
【発明の効果】
【００２０】
本発明によれば、１本の指による簡単な操作で２つ以上の機能を実現可能な表示装置を提供することができる。
【発明を実施するための最良の形態】
【００２１】
以下に、本発明の実施の形態について説明する。なお、同一または相当する部分に同一の参照符号を付し、その説明を繰返さない場合がある。
【００２２】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の構成を適宜組合わせることは、当初から予定されている。
【００２３】
図１は、本発明の１つの実施の形態に係る表示装置の本体の上面図である。また、図２は、図１に示される本体を矢印IIの方向から見た図であり、図３は、図１におけるIII−III断面図である。
【００２４】
図１〜図３を参照して、本実施の形態に係る表示装置に含まれる表示装置本体１００は、各種情報を表示する表示部１１０と、後述する固定具と係合する係合部１２０と、表示装置本体１００の底面から突出するように設けられた第１のボタン１３０（主ボタン）と、表示装置本体１００の上面から突出するように設けられた第２のボタン１４０（補助ボタン）と、第１のボタン１３０の上方に設けられたタクトスイッチ１５０と、バッテリ１６０とを含んで構成される。
【００２５】
表示装置本体１００は、たとえば、自転車のハンドルバーやフレームやステムなどに取付けられる。図１において、矢印ＤＲ１は自転車の前方に対応し、矢印ＤＲ２は自転車の後方に対応する。表示部１１０は、液晶ディスプレイ１１１を有する。液晶ディスプレイ１１１上には、たとえば、走行速度、走行時間、走行距離、時刻、平均速度、最大速度などの情報が表示される。
【００２６】
係合部１２０は、凹部１２１を有し、凹部１２１の底面から突出するように、第１のボタン１３０が設けられている。第１のボタン１３０が本体内部に向けて押し込まれると、タクトスイッチ１５０が作動する。第１と第２のボタン１３０，１４０は、表示装置本体１００の後方領域に設けられる。第１と第２のボタン１３０，１４０の機能については、後に詳述する。また、バッテリ１６０は、表示装置本体１００の前後方向中心よりも矢印ＤＲ１側（前方側）に配設されている。
【００２７】
図４は、図１〜図３に示される表示装置本体１００をバーに固定するための固定具を示した斜視図である。また、図５は、図４に示される固定具の側面断面図である。また、図６は、図４,図５に示される固定具にセンサを取付けた状態を示す図である。
【００２８】
図４〜図６を参照して、固定具２００は、固定具本体２１０と、ハンドルバーなどに巻き付けられるバンド２２０と、嵌入部材２３０とを含んで構成される。固定具本体２１０は、開口部２１１を有する。嵌入部材２３０は、開口部２１１に嵌入されることで固定具本体２１０と一体化される。なお、開口部２１１および嵌入部材２３０は略正方形形状を有しており、図６に示される状態から嵌入部材２３０を９０°回転させて該嵌入部材２３０を開口部２１１に取付けることも可能である。嵌入部材２３０にはケーブル４００の一端が接続される。ケーブル４００の他端は、センサ３００（たとえば速度センサ）に接続される。センサ３００から取り込まれた情報は、ケーブル４００を介して嵌入部材２３０に送られる。そして、該情報は、嵌入部材２３０の電極２３１を介して表示装置本体１００内に取り込まれ、表示部１１０上に表示される。
【００２９】
図７は、固定具２００に表示装置本体１００を取付ける状態を示す図である。また、図８は、固定具２００に表示装置本体１００を取付けた後の状態を示す図である。
【００３０】
図７，図８を参照して、表示装置本体１００を図７中の矢印の方向にスライドさせ、表示装置本体１００における係合部１２０と固定具２００における嵌入部材２３０とを係合させる。これにより、表示装置本体１００が固定具２００に取付けられる。なお、図７，図８に示されるように、固定具２００は回転操作部２４０を有するウォームギヤ式の固定具である。すなわち、回転操作部２４０を回転させることで、バンド２２０を締めたり緩めたりすることができる。
【００３１】
図９は、表示装置本体１００および固定具２００を含む表示装置をバー５００に取付けた状態を示す図である。図９に示すように、固定具２００におけるバンド２２０をバー５００に巻き付けてバー５００を締め付けることで、表示装置がバー５００に取付けられる。なお、図９に示す例では、表示装置は、自転車の前後方向に伸びるバー５００（たとえばステム）に取り付けられているが、上述したように嵌入部材２３０を９０°回転させて固定具本体２１０に取付けることで、自転車の左右方向に伸びるバー（たとえばハンドルバー）に表示装置を取付けることも可能である。
【００３２】
次に、図１０，図１１を用いて、本実施の形態に係る表示装置の操作方法について説明する。本実施の形態に係る表示装置は、表示装置本体１００または第２のボタン１４０を上方から押圧することにより複数の機能を使い分けることが可能な表示装置である。
【００３３】
図１０は、表示装置の第１の機能を実現するための操作を説明する図である。図１０を参照して、表示装置本体１００は、固定具２００上で回動可能に支持されている。すなわち、表示装置本体１００は、矢印ＤＲ５方向，矢印ＤＲ６方向に回動可能である。表示装置の第１の機能を実現させる際は、表示装置本体１００における第２のボタン１４０に隣接する領域が矢印ＤＲ３方向に押圧される。これにより、表示装置本体１００が矢印ＤＲ５方向に回動し、第１のボタン１３０が固定具２００により表示装置本体１００の内方に押し込まれ、タクトスイッチ１５０が作動する。これにより、表示装置の第１の機能が実現される。
【００３４】
図１１は、表示装置の第２の機能を実現するための操作を説明する図である。図１１を参照して、表示装置の第２の機能を実現させる際は、第２のボタン１４０が矢印ＤＲ４方向に押圧される。これにより、表示装置本体１００が矢印ＤＲ５方向に回動し、第１のボタン１３０が固定具２００により表示装置本体１００の内方に押し込まれ、タクトスイッチ１５０が作動する。この際、第２のボタン１４０が押圧された状態であるため、上記の第１の機能とは異なる第２の機能が実現される。すなわち、第２のボタン１４０は、表示装置の第２の機能を実現するための補助キーに相当する。
【００３５】
上述した第１と第２の機能としては、たとえば、表示部１１０における表示内容（現在時刻、走行距離、走行時間、平均速度、最高速度、心拍数など）の切り換え、計測モード（走行距離、走行時間、平均速度、最高速度、心拍数など）の切換え、計測データ（走行距離、走行時間、平均速度、最高速度、心拍数など）のリセット、計測（ラップタイム計測など）のスタート／ストップおよびバックライトの点灯などが考えられるが、上記の操作によりその他の機能を実現させることも、当然に予定されている。また、上記の表示装置は、３つ以上の機能を実現可能に構成されてもよい。典型的な例では、第２のボタン１４０に隣接する領域を押圧して表示装置本体１００を押し下げた場合（すなわち、第１のボタン１３０のみを押し込んだ場合）は、「第１の機能」として計測モードの切換えが実現され、第２のボタン１４０を押圧して表示装置本体１００を押し下げた場合（すなわち、第１と第２のボタン１３０，１４０を両方押し込んだ場合）は、「第２の機能」として計測のスタート／ストップが実現され、第２のボタン１４０に隣接する領域を押圧して表示装置本体１００を所定時間以上連続して押し下げた場合（すなわち、第１のボタン１３０のみを長押しした場合）は、計測データのリセットが実現される。
【００３６】
図１０，図１１に示すように、本実施の形態に係る表示装置において、表示装置の重心Ｇ、固定具２００が表示装置本体１００を支持する支点Ｆおよび第１のボタン１３０の中心Ａは、自転車の前後方向（矢印ＤＲ１方向，矢印ＤＲ２方向）に沿って、自転車の前方から重心Ｇ−支点Ｆ−ボタン中心Ａの順で並ぶ。このようにすることで、表示装置本体１００には、重力により矢印ＤＲ６方向のモーメントが作用し、矢印ＤＲ５方向のモーメントが打ち消される。したがって、自転車の走行時の上下方向の振動により表示装置本体１００が矢印ＤＲ５方向に回動してタクトスイッチ１５０の誤作動が生じることを抑制することができる。なお、表示装置の重心は、たとえばバッテリ１６０の配置により調整することができる。本実施の形態では、バッテリ１６０の重心を固定具２００が表示装置本体１００を支持する支点Ｆよりも前方側に位置させることにより、表示装置の重心Ｇを前方側にシフトさせている。
【００３７】
自転車の走行中（特に、運転者がグローブを装着している場合など）には、表示装置の複雑な操作が行ないにくい状況にある。これに対し、本実施の形態に係る表示装置によれば、表示装置本体１００における第２のボタン１４０に隣接する領域を上方から押圧するか、または、第２のボタン１４０を上方から押圧するかにより、第１と第２の機能を使い分けることができる。したがって、第１と第２の機能を使い分けるために２つのボタンを操作する必要がなく、１本の指による簡単な操作で２つ以上の機能を使い分けることができる。
【００３８】
また、第２のボタン１４０を表示装置本体１００の上面から突出するように設けることにより、第２のボタン１４０の位置を目視により確認することなく感触によって判別することが可能になる。
【００３９】
なお、第１と第２のボタン１３０，１４０の動作荷重（押し込む際の抵抗力）は、振動による誤作動を抑制し、かつ、強すぎて操作がしにくくならない程度に適宜調整される。本実施の形態では、第２のボタン１４０の動作荷重が第１のボタン１３０の動作荷重よりも小さく設定されている。このようにすることで、第２のボタン１４０の押圧を意識することなく、押圧位置を変えるだけで第１と第２の機能を使い分けることができる。
【００４０】
上述した内容について要約すると、以下のようになる。すなわち、本実施の形態に係る表示装置は、バー５００に取付けられる表示装置であって、互いに対向する上面と底面とを有する表示装置本体１００と、表示装置本体１００の上面に設けられ、情報を表示する表示部１１０と、表示装置本体１００の底面側に設けられ、表示装置本体１００を回動可能に支持するとともに表示装置本体１００をバー５００に固定する「支持台」としての固定具２００と、表示装置本体１００の底面から固定具２００に向けて突出するように設けられた第１のボタン１３０と、表示装置本体１００の上面に設けられた第２のボタン１４０とを備える。上記表示装置においては、表示装置本体１００の上面における第２のボタン１４０に隣接する領域を押圧することにより、表示装置本体１００が矢印ＤＲ５方向に回動し、第１のボタン１３０が固定具２００により表示装置本体１００に押し込まれて第１の機能が実現される（図１０）。また、上記表示装置においては、第２のボタン１４０を所定の荷重で押圧することにより、表示装置本体１００が矢印ＤＲ５方向に回動し、第１のボタン１３０が固定具２００により表示装置本体１００に押し込まれて第１の機能とは異なる第２の機能が実現される（図１１）。
【００４１】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００４２】
【図１】本発明の１つの実施の形態に係る表示装置の本体の上面図である。
【図２】図１に示される本体を矢印IIの方向から見た図である。
【図３】図１におけるIII−III断面図である。
【図４】図１〜図３に示される表示装置の本体をバーに固定するための固定具を示した斜視図である。
【図５】図４に示される固定具の側面断面図である。
【図６】図４,図５に示される固定具にセンサを取付けた状態を示す図である。
【図７】図４,図５に示される固定具に表示装置の本体を取付ける状態を示す図である。
【図８】図４,図５に示される固定具に表示装置の本体を取付けた後の状態を示す図である。
【図９】本発明の１つの実施の形態に係る表示装置をバーに取付けた状態を示す図である。
【図１０】本発明の１つの実施の形態に係る表示装置における第１の機能を実現するための操作を説明する図である。
【図１１】本発明の１つの実施の形態に係る表示装置における第２の機能を実現するための操作を説明する図である。
【符号の説明】
【００４３】
１００  表示装置本体、１１０  表示部、１１１  液晶ディスプレイ、１２０  係合部、１２１  凹部、１３０  第１のボタン、１４０  第２のボタン、１５０  タクトスイッチ、１６０  バッテリ、２００  固定具、２１０  固定具本体、２１１  開口部、２２０  バンド、２３０  嵌入部材、２３１  電極、２４０  回転操作部、３００  センサ、４００  ケーブル、５００  バー。
【図１】
2008304769.tif 000003
【図２】
2008304769.tif 000004
【図３】
2008304769.tif 000005
【図４】
2008304769.tif 000006
【図５】
2008304769.tif 000007
【図６】
2008304769.tif 000008
【図７】
2008304769.tif 000009
【図８】
2008304769.tif 000010
【図９】
2008304769.tif 000011
【図１０】
2008304769.tif 000012
【図１１】
2008304769.tif 000013